(57)【要約】【課題】ハーブの持つ効果・効能によってハーブを分類し、被施術者の健康・体調及び周囲の環境に対応して分類されたハーブのいくつかを選択して組み合わせ、被施術者の健康・体調及び周囲の環境に対応して、ハーブの持つ効果・効能が充分に発揮されるようにする。【解決手段】蒸風呂形態の寝台が用いられ、被施術者から取得された時系列希望情報に対応して複数の属性の異なるハーブの組み合わせを含んで時系列的に形成された複数のハーブスチームが仰臥する被施術者に供されて全身温蒸して発汗させる。【選択図】図１３
2019051004.tif 000002
【特許請求の範囲】
【請求項１】
箱状寝台本体を有し、箱状寝台本体の上面に被施術者が仰臥する寝台テーブル部が設けられ、箱状寝台本体内部の空間部にスチーム発生手段及びハーブを収納するハーブ収納手段が設けられ、仰臥する被施術者を包み込む保温性被覆部が寝台テーブル部に対する組みとしてセットされ、発生したスチームがハーブ収納手段に収納されたハーブに接触されることでハーブスチームが生成され、当該ハーブスチームが仰臥する被施術者に全身温蒸させ発汗させる蒸風呂形態の寝台が構成され、当該蒸風呂形態の寝台で被施術者に対する発汗トリートメントが供される発汗トリートメント方法において、
被施術者に対する発汗トリートメントに先立って、被施術者から次の希望情報の内の複数の施術希望が時系列希望情報として取得され、
その１：リラックスするトリートメントの施術希望
その２：身体メンテナンスするトリートメンの施術希望
その３：エネルギーを充填するトリートメントの施術希望
少なくとも次のハーブの組み合わせが形成され、
対応１：心身ともにリラックスするトリートメント用ハーブから選択されたハーブ又は組み合わされたハーブ
対応２：むくみや筋肉の疲労をメンテナンスするトリートメント用ハーブから選択されたハーブ又は組み合わされたハーブ
対応３:活力と集中力、エネルギーが湧くトリートメント用ハーブから選択されたハーブ又は組み合わされたハーブ
被施術者から取得された時系列の複数の施術希望に対応して複数の異なるハーブの組み合せを含んで時系列に形成された複数のハーブスチームが編み目ごとに横方向に向いて形成された隙間から横方向に噴出されて仰臥する被施術者を全身温蒸しすることで被施術者の発汗がなされること
を特徴とする被施術者に対するトリートメントがなされる発汗トリートメント方法。
【請求項２】
請求項１に記載された被施術者に対するトリートメントがなされる発汗トリートメント方法において、被施術者から
その４：その１からその３のいくつかを混在させた総合的なトリートメントの施術希望が取得され、
対応４：対応１から対応３のいくつかを混在させた総合的なトリートメント用ハーブが組み合わされたハーブが組み合わされること
を特徴とする被施術者に対するトリートメントがなされる発汗トリートメント方法。
【請求項３】
箱状寝台本体を有し、箱状寝台本体の上面に被施術者が仰臥するテーブル部が設けられ、箱状寝台本体内部の空間部にスチーム発生手段及びハーブを収納するハーブ収納手段が設けられて、発生したスチームがハーブ収納手段に収納されたハーブに接触されることでハーブスチームが生成され、仰臥する被施術者を包み込む保温性被覆部がテーブル部に対する組みとしてセットされ、仰臥する被施術者に全身温蒸させ発汗させることに供される蒸風呂形態の寝台において、
少なくとも効能・効果の属性の異なるハーブを用いたトリートメント用ハーブスチームが形成され、
当該ハーブスチームが時系列に組み合わされて、時系列に寝台テーブル部に仰臥する被施術者を全身温蒸して発汗させること  
を特徴とする被施術者に対する蒸風呂形態の寝台。
【請求項４】
請求項３に記載された被施術者に対する蒸風呂形態の寝台において、属性の異なる３つ以上のトリートメント用ハーブスチームからなり、３つ以上のトリートメント用ハーブスチームが
対応１：心身ともにリラックスするトリートメント用ハーブから選択されたハーブ又は組み合わされたハーブを含んだトリートメント用ハーブスチーム
対応２：むくみや筋肉の疲労をメンテナンスするトリートメント用ハーブから選択されたハーブ又は組み合わされたハーブを含んだトリートメント用ハーブスチーム
対応３：:活力と集中力、エネルギーが湧くトリートメント用ハーブから選択されたハーブ又は組み合わされたハーブを含んだトリートメント用ハーブスチーム
からなることを特徴とする被施術者に対する蒸風呂形態の寝台。
【請求項５】
請求項４に記載された被施術者に対する蒸風呂形態の寝台において、  
対応４：対応１から対応３のいくつかを混在させた総合的なトリートメント用ハーブが組み合わされたハーブが組み合わされること
を特徴とする被施術者に対する蒸風呂形態の寝台。
【請求項６】
箱状寝台本体を有し、箱状寝台本体の上面に被施術者が仰臥する寝台テーブル部が設けられ、箱状寝台本体内部の空間部にスチーム発生手段及びハーブを収納するハーブ収納手段が設けられ、仰臥する被施術者を包み込む保温性被覆部が寝台テーブル部に対する組みとしてセットされ、発生したスチームがハーブ収納手段に収納されたハーブに接触されることでハーブスチームが生成され、当該ハーブスチームが仰臥する被施術者に全身温蒸させ発汗させる蒸風呂形態の寝台が構成され、当該蒸風呂形態の寝台で被施術者に対する発汗トリートメント及び発汗した被施術者に対するマッサージトリートメントが供される健康増進トリートメント装置において、
データベースが、各種のハーブ情報を格納し、
被施術者に対する発汗トリートメントに先立って、被施術者から次の希望情報の内の複数の施術希望が時系列希望情報として取得された、
その１：リラックスするトリートメントの施術希望
その２：身体メンテナンスするトリートメンの施術希望
その３：エネルギーを充填するトリートメントの施術希望
少なくとも次のハーブの組み合わせが形成された、
対応１：心身ともにリラックスするトリートメント用ハーブから選択されたハーブ又は組み合わされたハーブ
対応２：むくみや筋肉の疲労をメンテナンスするトリートメント用ハーブから選択されたハーブ又は組み合わされたハーブ
対応３:活力と集中力、エネルギーが湧くトリートメント用ハーブから選択されたハーブ又は組み合わされたハーブ
を格納し、
演算処理手段が、被施術者から取得された時系列の複数の希望情報に対応して複数の異なるハーブの組み合せを含んで時系列に複数のハーブスチームを時系列に提供するハーブスチーム情報を形成し、形成されたハーブスチーム情報からそのうちの一つを被施術者に選択させて、被施術者から取得された時系列の複数の希望情報に対応した一つの時系列に提供するハーブスチーム情報を形成して、画面表示手段の画面に表示させ、
被施術者の承認情報が入力されると、発汗トリートメント及びマッサージトリートメントからなるトリートメントスケジュールを作成して画面表示させること
を特徴とする健康増進トリートメント装置。
【請求項７】
請求項６に記載された健康増進トリートメント装置において、被施術者から
その４：その１からその３のいくつかを混在させた総合的なトリートメントの施術希望が取得され、
対応４：対応１から対応３のいくつかを混在させた総合的なトリートメント用ハーブが組み合わされたハーブが組み合わされて、データベースに格納され、
演算処理手段が、前記組み合わされたハーブの組み合せを含んで時系列に複数のハーブスチームを時系列に提供するハーブスチーム情報を形成すること
を特徴とする健康増進トリートメント装置。
【発明の詳細な説明】
【技術分野】
【０００１】
本発明は、健康増進トリートメント方法及び健康増進トリートメント装置に関する。
背景技術
スチーム発生手段により発生されたスチームを被施術者がいる空間に放出させるもので、ハーブを収容するハーブ収容部を設けて、スチームを、ハーブ収容部を通過させることでハーブスチームを生成し、この生成されたハーブスチームを被施術者がいる空間に放出させ、遠赤外線を利用できるハーブエキスを含んだハーブスチームを被施術者の全身に浴させて健康増進を図るトリ―トメントが提案されて来た。
【０００２】
特許文献１には、水蒸気発生手段により発生せしめられた水蒸気を、水蒸気導出通路を介して外部に放出するように構成され、水蒸気導出通路にハーブ類を収容するハーブ類収容部を設けた加湿器が記載される。
【０００３】
特許文献２には、複数種類のハーブからハーブ抽出物を調整することが記載される。
【０００４】
特許文献３には、ユーザごとの時系列のデータを評価してユーザの肌を診断し、診断に応じたアドバイスを生成する生成手段を有する美容支援システムが記載される。
【０００５】
特許公報４には、身体の個人差や体調に応じてハーブの薬効を使用者自ら選択することを可能として使用者に高い満足感を与えるようにすることが記載される。
【先行技術文献】
【特許文献】
【０００６】
【特許文献１】特許第２８４２２２１号公報
【特許文献２】特開２０１５−３８８７号公報
【特許文献３】特許第３７８９８９０号公報
【特許文献４】特許第４７５１０３０号公報
【発明の概要】
【発明が解決しようとする課題】
【０００７】
上述した特許文献に記載されるように、ハーブの効果・効能によって、身体を深部から温め、血液循環を促進させ、あるいは自律神経の機能を調整するなどが行われてきた。
【０００８】
ハーブの効果・効能にはハーブの種類によって差異があること認められるところであり、各地には地域特産の各種のハーブが存在する。従来、ハーブスチームを用いた健康増進トリートメント方法は、いくつかのハーブを混在させ、これらのハーブが持つ効果・効能を混在させて使用するものであった。
【０００９】
特許文献４に記載されるように、使用者である被施術者は、自身の体調及び周囲の環境に対応してハーブの効果・効能が発揮されることを望む。ハーブを長年取り扱ってきた施術者は、被施術者の体調及び周囲の環境に対応してハーブを選択し、ハーブの効果・効能を最大級に発揮させ得る。被施術者の体調及び周囲の環境に対応してハーブを選択することがなされるが、トリートメントに使用されるハーブの種類は１種であり、この意味で従来の総合されたハーブの使用方法を越えたものとはなっていない。
【００１０】
本発明は、かかる点に鑑みハーブの持つ効果・効能によってハーブを分類し、被施術者の健康・体調及び周囲の環境に対応して分類されたハーブのいくつかを選択して組み合わせることで統合化して使用することを可能にして、被施術者の健康・体調及び周囲の環境に対応して時系列仕様で、ハーブの持つ効果・効能が充分に発揮されるようにした健康トリートメントを可能にすることを目的とする。
【課題を解決するための手段】
【００１１】
本発明は、箱状寝台本体を有し、箱状寝台本体の上面に被施術者が仰臥するテーブル部が設けられ、箱状寝台本体内部の空間部にスチーム発生手段及びハーブを収納するハーブ収納手段が設けられて、発生したスチームがハーブ収納手段に収納されたハーブに接触されることでハーブスチームが生成され、仰臥する被施術者を包み込む保温性被覆部がテーブル部に対する組みとしてセットされ、仰臥する被施術者に全身温蒸させ発汗させることに供される蒸風呂形態の寝台において、
予め定められた発汗トリートメント情報から、被施術者への問診などの聴取で取得された複数の発汗トリートメント希望情報に対応した異なるハーブの組み合わせで時系列的に統合された複数のハーブスチームが仰臥する被施術者に当該時系列的に全身温蒸して発汗させること
を特徴とする被施術者に対する蒸風呂形態の寝台を提供する。
【００１２】
ここで統合とは、総合的に作製されたハーブの組み合わせに対するもので、総合的に作製されたハーブの持つ機能を機能別に分別し、分別された機能にそれぞれ属する異なるハーブの組み合わせを連続して、或いは順序立てて用いることの意味で使用される。統合することで、被施術者の希望を聴取されて、ハーブ使用目的が特定され、それだけハーブスチームの効果・効能を際立させ、それぞれのそしてトータルした場合のハーブの使用量が節減される。統合するに際して、異なるハーブスチームの使用順序に制限がないが、美容室あるいは施術者の好みに対応して異なるハーブスチームの使用順序が特定されることがある。例えば、施術者によれば、リラックスさせるハーブスチームを当初に使用されることが好まれる。また、異なるハーブの組み合わせを連続して、或いは順序立てて用いるに際して、後者のハーブの投入時に前側で用いたハーブをそのままハーブ収納手段に残留させておいてもよいし、前側で用いたハーブをハーブ収納手段から取り除かれてもよい。
【発明の効果】
【００１３】
ハーブの持つ効果・効能によってハーブを分別し、被施術者の健康・体調及び周囲の環境に対応して分別されたハーブのいくつかを選択して組み合わせることで統合化することを可能にして、被施術者の健康・体調及び周囲の環境に対応されて、ハーブの持つ効果・効能が充分に発揮されるようにした健康トリートメントが可能になる。
【００１４】
蒸風呂形態の寝台が、被施術者から取得された時系列希望情報に対応して複数の異なるハーブの組み合わせを含んで時系列的に形成された複数のハーブスチームが仰臥する被施術者を全身温蒸して発汗させるように構成される。
【図面の簡単な説明】
【００１５】
【図１】本発明に実施例に用いられる、箱状寝台とマッサージ寝台との組み合わせを示す図
【図２】本発明に実施例に用いられる箱状寝台の正面図
【図３】箱状寝台に使用される敷マットの構成を示す図
【図４】箱状寝台の寝台テーブル部上に被施術者が仰臥する状態を示す図
【図５】生成されたハーブスチームが仰臥する被施術者を全身温蒸する状態を示す図
【図６】３種類の機能をそれぞれ持つ３つの機能別ハーブスチームと総合的ハーブスチームの形成を示す図
【図７】データベースの例を示す図
【図８】その１：リラックスさせるリラックスようハーブの例を示す図
【図９】その２：身体メンテナンスさせるハーブの示す例を示す図
【図１０】その３：エネルギーを充填させるハーブの示す例を示す図
【図１１】その４：総合的なトリートメント用はハーブの組み合わせ例を示す図
【図１２】被施術者のトリートメント希望に合わせて機能別ハーブスチーム、あるいは機能別ハーブスチーム及び総合的ハーブスチームを選択する図
【図１３】被施術者のトリートメント希望に合わせて機能別ハーブスチーム、あるいは機能別ハーブスチーム及び総合的ハーブスチームが時系列で組み合わせて選択することができる状況を示す図
【図１４】マッサージ工程を含めた全体トリートメントを示す図
【図１５】健康増進トリートメント装置をブロックで示す図
【図１６】健康増進トリートメント方法を、パソコンを用いて実行する仕方を示す図
【図１７】スケジュール表の一例を示す図
【発明を実施するための形態】
【００１６】
以下、本発明の実施例を図面に基づいて説明する。
【００１７】
図１は、本発明に実施例に用いられる、箱状寝台とマッサージ寝台との組み合わせを示す図である。
【００１８】
図１において、本発明は、寝台式蒸風呂を形成する箱状寝台１とマッサージ寝台２との組み合わせからなる。
【００１９】
図２は、この箱状寝台１の詳細を示す。箱状寝台１は、台座をなす箱状寝台本体１０及び箱状寝台本体１０の上部に載置された寝台テーブル部３からなる。図２には、箱状寝台本体１０の全面部分は取り払われた状態が図示される。
【００２０】
箱状寝台本体１０は、フレーム構造をなし、ステンレスパイプで構成され、その内部は空間部４である。この空間部４にスチーム発生器（スチーマー）５及びスチーム発生器５の上部に配置されたハーブ収納容器６が設けられる。
【００２１】
箱状寝台本体１０は、例えば全長１５０ｃｍ/高さ４５ｃｍ/幅８０ｃｍをなす。
【００２２】
寝台テーブル部３は、細長の帯状のシンセテイックラタン（水・熱に強い人口のカラーラタン）が木の葉の葉脈をイメージして編み込まれ、全体的に木の葉状をなす。全体的に木の葉状をなすことによって、全体的に被施術者の体型に似たものになって全身の平均的な温蒸に有効である。人工のカラーラタンには、オフホワイト、テイーグレーなどの各種のカラーが採用可能である。
【００２３】
寝台テーブル部３は、例えば全長２００ｃｍ/中央部の高さ５０ｃｍ/最大幅８０ｃｍで構成され、足部及び頭部の両側部は、中央部の高さよりも５〜８ｃｍ高くなっている。
【００２４】
図３は、細長の帯状のシンセテイックラタンが編み込まれた状態を示す。細長の帯材７、８のシンセテイックラタンが縦方向と横方向に単純に交差することで編み目が形成される。細長の帯材７、８は、人工繊維なので色あせることがない。
【００２５】
編み目ごとに横方向に向いた隙間９が形成され、この隙間９から後述するハーブスチームが横方向に噴出される。
【００２６】
図３において、箱状寝台本体１０の裏面には、軽量アルミ板が貼られ、スチームを遮蔽する。箱状寝台本体１０の表面には、寝台テーブル部３を構成する材料と同じ材料の細長の帯状のシンセテイックラタンが編まれたシートが貼られる。
【００２７】
箱状寝台１には、保温性シート１３がセットとして準備される。
【００２８】
図１に示すように、箱状寝台本体１０の前面部には、左右に両開きの扉１１、１２が設けてあり、スチーム発生器５、ハーブ収納容器６を空間部４にセットすることができる。
【００２９】
木の葉形の寝台テーブル部３の裏面には、補強用のベルトが取り付けてある。木の葉形の寝台テーブル部３の汗やオイルの汚れは、家庭用洗剤で簡単に拭き取れる。箱状寝台本体１０は、水洗いが可能である。  
図４は、テーブル部３の上に被施術者２０が仰臥している状態を示す。仰臥している被施術者２０には、頭部を除く全身が保温性カバー１３によってカバーされ、包まれる。
【００３０】
図５は、ハーブスチームが生成されて入り状態を示す図である。
【００３１】
図２〜図４に示す状態において、スチーム発生器５でスチームが生成され、生成されたスチームがハーブを収納するハーブ収納容器６に導入されて、ハーブスチーム１５が生成される。ハーブスチーム１５は、空間部４内に充満し、編み目ごとに横方向に向いた隙間９からハーブスチーム１５が横方向に噴出される。横方向に噴出したハーブスチーム１５は、保温性シート１３内の空間を充満して、被施術者２０を暖め、発汗させる。
【００３２】
図１に戻って、箱状寝台本体を有し、箱状寝台本体の上面に被施術者が仰臥するテーブル部が設けられ、テーブル部が細長の帯材が縦方向と横方向に単純に交差することで編み目が形成され、編み目ごとに横方向に向いた隙間が形成され、箱状寝台本体内部の空間部にスチーム発生手段及びハーブを収納するハーブ収納手段が設けられて、発生したスチームがハーブ収納手段に収納されたハーブを加熱することでハーブスチームが生成され、仰臥する被施術者を包み込む保温性シートが組みとしてセットされ、生成されたハーブスチームが編み目ごとに横方向に向いて形成された隙間から横方向に噴出されて仰臥する被施術者を効果的効率的に全身温蒸することの可能な寝台式蒸風呂及ぶ被施術者の全身をマサージするため被施術者が仰臥するマッサージ寝台との組み合わせが構成される。
【００３３】
このように、保温性シート１３がセットとして準備された構成の箱状寝台１は、後述する、被施術者から取得された時系列希望情報に対応して複数の異なるハーブの組み合わせを含んで時系列的に形成された複数のハーブスチームが仰臥する被施術者を全身温蒸して発汗させることに便利であり、適している。
【００３４】
被施術者の身体と共鳴して吸収される遠赤外線を放射するハーブを炊くことによって、より多くの遠赤外線を利用できるハーブエキスを含んだハーブスチームをゆっくり全身に浴びることで、身体を深部から温める各種ハーブの効果・効能をより得やすくなる。ハーブは、有機質であり、共鳴する波長を放射しており、身体を深部まで温めることができる。生体共鳴整合性を考慮した場合に、上述した細長の帯状のシンセテイックラタン（水・熱に強い人口のカラーラタン）が木の葉の葉脈をイメージして編み込まれ、全体的に木の葉状をなすテーブル部３は、ハーブスチームを用いた発汗法に適し、寝台式蒸風呂を形成して全身の温蒸をなし、編み目ごとに横方向に向いた隙間９からハーブスチーム１５が横方向に噴出され、保温性シート内の木の葉状形状に対応した空間に充満された均一温度の柔らかいハーブスチームは、ハーブ効果・効能を発揮し、ハーブの持つ共鳴遠赤外線効果を増大させる。
【００３５】
ハーブの持つ共鳴遠赤外線効果を増大させるハーブスチームは、次の効果・効能を発揮する。
・皮下深層まで温度を上昇させる
・血液循環を促進させる
・新陳代謝を促進させる
・組織再生力を向上させる
・知覚神経の異常興奮を抑制させる
・自律神経の機能調整する
【００３６】
本実施例は、かかるハーブスチームの持つ効果・効能が最大限に発揮される被施術者に対する発汗、あるいは発汗及びマッサージトリートメントがなされる健康増進トリートメント方法を提供する。以下、説明する。本実施例は、かかるハーブスチームの持つ効果・効能を３つの機能に分けて、それぞれの効果・効能を持つ複数のハーブスチームを形成することで、効果・効能を統合し、被施術者のニーズに対応した健康増進トリートメント方法を提供する。少なくとも３つの機能を持つハーブスチームに、これら３つの機能をすべて混在させた従来型のハーブスチームを加えた総合的なハーブスチームを加えることができる。スチームのみの発汗を加えてもよい。前者を機能別ハーブスチームと呼び、後者を総合的ハーブスチームと呼ぶことにする。３つの機能のそれぞれをいくつかに分けることができる。
【００３７】
図６は、３種類の機能をそれぞれ持つ３つの機能別ハーブスチーム２１と総合的ハーブスチーム２２の形成を示す図である。
【００３８】
図６において、機能別ハーブスチーム２１は、機能的に、
・心身ともにリラックスするトリートメント用ハーブスチーム（日本産ハーブから作り易い）
・むくみや筋肉の疲労をメンテナンスするトリートメント用ハーブスチーム（ヨーロッパ産ハーブから作り易い）
・活力と集中力、エネルギーが湧くトリートメント用ハーブスチーム（東南アジア産ハーブから作り易い）
からなる。
【００３９】
総合的ハーブスチーム２２は、上述した３つの機能が混在するようにしたハーブスチームである。
【００４０】
機能別ハーブスチームは、採用させるハーブを包含することで形成され、心身ともにリッラクスさせるトリートメント用ハーブ２３である「リッラクスさせるトリートメント用ハーブ」、むくみや筋肉の疲労を回復、メンテナンスさせるトリートメントハーブ２４である「身体メンテナンスさせるトリートメント用ハーブ」、活力と集中力、エネルギーを湧きさせるトリ―トメントハーブ２５である「エネルギーを充填させるトリートメント用ハーブ」で形成される。以下、心身ともにリッラクスさせるトリートメント用ハーブ２３をリッラクスさせるトリートメント用ハーブ２３と称し、メンテナンスさせるトリートメントハーブ２４を身体メンテナンスさせるトリートメント用ハーブ４と称し、活力と集中力、エネルギーを湧きさせるトリ―トメントハーブ２５を、エネルギーを充填させるトリートメント用ハーブ２５と称する。
【００４１】
総合的ハーブスチーム２２は、トリートメント用ハーブ２３、身体メンテナンスさせるトリートメント用ハーブ２４及びエネルギーを充填させるトリートメント用ハーブ２５のいくつかの組み合わせもしくは全部のハーブ組み合わせを包含するスチームで形成される。
【００４２】
後述するように、トリートメント用ハーブ２３としては、いくつかのハーブが知られており、これらのハーブから選択された１つのハーブあるいは選択された複数のハーブの組み合わせ２７（その１）から形成される。身体メンテナンスさせるトリートメント用ハーブ２４としては、いくつかのハーブが知られており、これらのハーブから選択された１つのハーブあるいは選択された複数のハーブの組み合わせ２８（その２）から形成される。エネルギーを充填させるトリートメント用ハーブ２５としては、いくつかのハーブが知られており、これらのハーブから選択された１つのハーブあるいは選択された複数のハーブの組み合わせ２９（その３）から形成される。これらのハーブ組み合わせを、総合的なトリートメント用ハーブの組み合わせ３０（その４）と称する。
【００４３】
その１によって対応３１が形成され、その２によって対応３２が形成され、その３によって対応３３が形成され、その４によって対応３４が形成される。
【００４４】
ハーブの持つ共鳴遠赤外線効果を増大させるハーブスチームは、六つの効果・効能が発揮されることを上述した。
・皮下深層まで温度を上昇させる
・血液循環を促進させる
・新陳代謝を促進させる
・組織再生力を向上させる
・知覚神経の異常興奮を抑制させる
・自律神経の機能調整する
機能別ハーブスチームをこれら６つあるいはいくつかを併合した形態で作成するようにしてもよい。以下、機能別ハーブスチームを、ハーブ組み合わせその１、その２、その３、その４に対応して形成した場合を例に採って説明する。
【００４５】
図７は、これらのハーブ組み合わせを形成するために用いられるデータベースの例を示す図である。
【００４６】
データベースには、従来から知られたハーブあるいは施術者が過去に経験して実績としたハーブがその効果・効能と共に収集される。それらの形態は限られたものでなく、任意の形態で収集され、コンピュータ記憶媒体にあるいは紙に記載された方法で収集される。使いやすくするために、ハーブの種類と効能・効果種別にして記録し、いままでに採用したハーブ組み合わせを機能別にして記録しておくことが勧められる。図７には、従来から知られたハーブあるいは施術者が過去に経験して実績としたハーブがそれぞれ記載される。これらのハーブを一つのリスト化された共通したデータをすることができる。
【００４７】
図８は、その１のトリートメント用ハーブ３の例を示す図である。
【００４８】
図８に、ラベンダー、シナモン、レモングラス、ベチバー、よもぎ、ローズレッド、月桃（サンニン）、ジャーマンカモマイル、カルダモン、ローズ、ローズ・バッズ、カモミール、ジャスミンが例示された。これら例示されたハーブから一つのハーブが選択され、あるいは複数個選択されて組み合わされてトリートメント用ハーブ３とされる。
【００４９】
図９は、その２の身体メンテナンスさせるトリートメント用ハーブ４の例を示す図である。
【００５０】
図９に、シリの葉、セチャンの木、ジンジャー、どくだみ、びわの葉、アップルフルーツ、カレンデュラ、カモマイル（カミツレ）、ユーカリプタス、月見草、トウキ（当帰）、マオウ（麻黄）、リコリス、よもぎ、こぶみかんの果皮・葉、プライ（ポンツクショウガ）カモミール、ガイヨウ、ガジュツ（紫ウコン）、杉菜、くわの葉、エキナセア（エキナケア）、テイツリー、イブニングプリムローズが例示された。これら例示されたハーブから一つのハーブが選択され、あるいは複数個選択されて組み合わされて身体メンテナンスさせるトリートメント用ハーブ４とされる。
【００５１】
図１０は、その３のエネルギーを充填させるトリートメント用ハーブ５例を示す図である。
【００５２】
図１０に、カルダモン、ライム、ナツメグ、ハッカク（八角）、ギンコウ（イチョウが例示された。これら例示されたハーブから一つのハーブが選択され、あるいは複数個選択されて組み合わされてエネルギーを充填させるトリートメント用ハーブ５とされる。  
図１１は、総合的なトリートメント用ハーブの組み合わせ１０の例を示す図である。
【００５３】
組み合わせ（１）は、カルダモン（その３）、シリの葉（その２）、セチャンの木（その２）、ライム（その３）、レモングラス（その１）、ジンジャー（その２）、ベチバー（その１）、ナツメグ（その３）、シナモン（その１）、ラベンダー（その１）からなる。
【００５４】
このように、属性としてのその１からレモングラス、ベチバー、シナモン及びラベンダーが選択され、その２からセチャンの木及びジンジャーが選択され、その３からカルダモン、ライム及びナツメグが選択された。これら例示されたハーブから複数個選択されて組み合わされて総合的なトリートメント用ハーブの組み合わせ１０とされる。  
図１２は、被施術者のトリートメント施術希望２０に合わせて機能別ハーブスチーム、あるいは機能別ハーブスチーム及び総合的ハーブスチームを選択して、施術者の対応３０とする図を示す。
【００５５】
発明者等の長年の経験によれば、被施術者のトリートメント施術希望を、次に様に分け得る。
【００５６】
・リラックスするトリートメントを希望４１
リラックスしたい。いい香りに包まれながら、じっくり身体を温め、発汗したい。デトックスしたい・ダイエットしたい・美肌になりたい。毎日働いて疲れた！ストレスを解消したい。
【００５７】
・身体メンテナンスするトリートメントの施術希望４２
血行が悪いので、体温を１℃上昇させたい。免疫力・体内活性を増したい。血流を改善し、肝臓の働きを高め、排泄を促したい。身体のコリ、肌のくすみを解消したい。呼吸器の浄化をしたい。皮膚や筋肉を柔らかくしたい。体臭を取り除きたい。
【００５８】
・エネルギーを充填させるトリートメントの施術希望４３
月経前後、月経中の体調がすぐれないときに、体温上昇と代謝アップを図りたい。からだをしっかりと活性化するために汗をかきたい。産後の身体を早く元に戻したい。
【００５９】
・総合的なトリートメントの施術希望４４
上述された希望を取り混ぜた効果・効能を期待したい。
【００６０】
図１２では、上述したように４つの機能別に分類したが、ハーブの機能には、薬効機能以外に芳香を楽しませるという機能があることが知られているところであり、・リラックスするトリートメントを希望４０の内容を、芳香を楽しませるという機能に細分して、この場合に細分化された分類の一つあるいは複数個を上述したその１の内容としてその１〜その４としてもよい。
【００６１】
この場合に、例えば原産地別に芳香を楽しむ組み合わせが提案される。原産地には、地中海沿岸では、ラベンダー、ローズマリー、タイム、パセリ、ポリジ、レモンバーム、ヨーロッパでは、ペパーミント、ローマンカミモール、オレガノ、アフリカでは、チコリ、中央アジア及びアジアでは、ガーリック、チャービル、ペッパー、ジンジャー、ターメリック、サンショウ、ワサビ、ハス、インドネシアでは、ローズヒップ、レモングラス、ネトル、フエンネル、ジュニーパーベリー、ルイネス、セージ、クローブ、ヒソップ、カルダモン、オレガノ、ユーカリ、エキナセア、タイム、ジンジャー、日本では、どくだみ、びわの葉、よもぎ、アップルフルーツがある。
【００６２】
常時、トリートメントを管理する管理者に、データとして蓄積された知識から、その    １〜４の属性に属する各一つのハーブの特徴とハーブ組み合わせ情報が保持される。
【００６３】
各ハーブの特徴及びハーブ組み合わせ情報に基づいて、美容室には、その１〜その４に適応できるようにハーブ組み合わせが準備される。ハーブ組み合わせ準備は、多くの場合、被施術者及び施術者間の事前連絡によってパソコンに記載され、ハーブはそれに基づいて準備される。準備されたハーブ組み合わせは、予め布製の袋に入れられて、被施術者の来店時に直ちにハーブ収容容器６に投入できるようにされる。また、その１〜４の属性及びその属性の中での効果・効能別に詰め合わせセットで準備しておいて、被施術者の施術希望が決定されたときに、最適になるように詰め合わせセットからハーブの組み合わせが形成されるようにしてもよい。
【００６４】
対応１：心身ともにリラックスするトリートメント用ハーブからハーブの選択、組み合わせ
対応２：むくみや筋肉の疲労をメンテナンスするトリートメント用ハーブからハーブの選択、組み合わせ
対応３:活力と集中力、エネルギーが湧くトリートメント用ハーブからハーブの選択、組み合わせ
対応４：対応１から対応３のいくつかを混在させた総合的なトリートメント用ハーブからハーブの組み合わせ
上述した施術希望に対しては、次に示すハーブスチームが関連されて選択されるのが、トリートメント上有効である。
【００６５】
・リラックスするトリートメントを施術希望４１
↓
心身ともリラックスするトリートメント用ハーブスチームの選択５１する。
【００６６】
・身体メンテナンスするトリートメントを施術希望４２
↓
むくみや筋肉の疲労をトリートメント用ハーブスチームの選択５２する。
【００６７】
・エネルギーを充填するトリートメントを施術希望４３
↓
活力と集中力、エネルギーが湧くトリートメント用ハーブスチームの選択５３する。
【００６８】
・総合的なトリートメントの施術希望４４
↓
総合的なトリートメント用ハーブスチームの選択５４する。
【００６９】
心身ともリラックスするトリートメント用ハーブスチームの選択５１むくみや筋肉の疲労をトリートメント用ハーブスチームの選択５２、活力と集中力、エネルギーが湧くトリートメント用ハーブスチームの選択５３、及び総合的なトリートメント用ハーブスチーム３４が組み合わされて、施術者の対応５５が決定され、パソコンに入力され、何時でも被施術者に呈示可能とされる。
【００７０】
図１３は、被施術者のトリートメント希望に合わせて機能別ハーブスチーム、あるいは機能別ハーブスチーム及び総合的ハーブスチームが時系列で組み合わせて選択することで統合することができる状況を示す図である。被施術者のトリートメント施術希望に合わせて機能別ハーブスチーム、あるいは機能別ハーブスチーム及び総合的ハーブスチームが時系列で組み合せることで、統合したハーブスチーム情報が形成される。このように統合したハーブスチーム情報は、従来タイプのハーブスチーム情報から区別される。
【００７１】
図１３（１）は、被施術者の施術希望の組み合わせ、これらの組み合わせに対応した各種ハーブスチームの選択の組み合わせを示す。
【００７２】
図１３（２）は、被施術者の施術希望の組み合わせが３種そしてそれに対応する機能別ハーブスチームが３種選択でトリートメントが構成される場合の時系列的組み合わせを示す。トリートメントは、この順序で時系列になされることになる。この図には、２組の組み合わせが記載してあるが、被施術者の希望の組み合わせに対応して３組以上の組み合わせとすることができる。
【００７３】
図１３（３）は、被施術者の希望の組み合わせがその１〜その４までの４種そしてそれに対応する機能別ハーブスチームが対応１〜対応４までの４種選択でトリートメントが構成される場合の時系列的組み合わせを示す。トリートメントは、この順序でなされることになる。この図には、２組の組み合わせが記載してあるが、被施術者の希望の組み合わせに対応して３組以上の組み合わせとすることができる
図１４は、マッサージ工程を含めた全体トリートメントを示す図である。トリートメントが前半の発汗工程、マッサージ工程及び後半の発汗工程から構成される。前半の発汗工程及びマッサージ工程から構成される場合がある。また、マッサージ工程及び後半の発汗工程から構成される場合がある。
【００７４】
図１４（１）は、従来例におけるマッサージ工程を含めた全体トリートメントを示す。
【００７５】
従来方式は、従来（１）、従来（２）、従来（３）のように示される。
【００７６】
図１４（２）は、本実施例によるマッサージ工程を含めた全体トリートメントを示す。
【００７７】
本実施例の場合、その１とその２に示すハーブスチームが選択されたときに、例１〜例１０に示されるマッサージ工程を含めた全体トリートメントが構成される。
【００７８】
全体トリートメントは、前半の発汗の工程及び後半の発汗工程における時系列的に発汗かが書き込まれることで形成される。
【００７９】
この図において、各発汗工程におけるその１対応のハーブスチーム及びその２対応のハーブスチームは、連続して表示された順序で時系列的に発汗がなされることを示す。被施術者によっては、前半の発汗工程あるいは後半の発汗工程を希望しない場合がある。場合によっては、マッサージ工程が希望されない。このような場合には、前半の発汗工程あるいは後半の発汗工程は、削除される。場合によっては、マッサージ工程も削除される。
【００８０】
時系列的に発汗工程を形成する場合に、例１、例２に示すように、前半の発汗工程及びは後半の発汗工程が異なったハーブスチームによる発汗がなされる。例１にあっては、その１対応が前半の発汗工程に組み入れられた。例２にあっては、その２対応が前半の発汗工程に組み入れられた。
【００８１】
時系列的に発汗工程を形成する場合に、前半の発汗工程及びは後半の発汗工程のそれぞれに異なったハーブスチームによる発汗が組み込まれる。例３にあっては、後半の発汗工程が、その１、その２対応の順序で発汗がなされる。前半の発汗工程では、いずれかのハーブスチームが選択される。その１あるいはその２対応であってもよい。例４にあっては、後半の発汗工程が、その２、その１対応の順序で発汗がなされる。前半の発汗工程では、いずれかのハーブスチームが選択される。その１あるいはその２対応であってもよい。
【００８２】
例５にあっては、前半の発汗工程が、その１、その２対応の順序で発汗がなされる。後半の発汗工程では、いずれかのハーブスチームが選択される。その１あるいはその２対応であってもよい。例６にあっては、前半の発汗工程が、その２、その１対応の順序で発汗がなされる。前半の発汗工程では、いずれかのハーブスチームが選択される。その１あるいはその２対応であってもよい。
【００８３】
例７にあっては、後半の発汗工程が削除された。後半の発汗工程が削除された以外、例１と同じ構成となる。例８にあっては、後半の発汗工程が削除された。後半の発汗工程が削除された以外、例２と同じ構成となる。
【００８４】
例９にあっては、前半の発汗工程が削除された。前半の発汗工程が削除された以外、例３と同じ構成となる。例１０にあっては、前半の発汗工程が削除された。前半の発汗工程が削除された以外、例４と同じ構成となる。
【００８５】
時系列的に形成された発汗の例は、パソコンの画面表示手段の画面に表示することができる。
【００８６】
その他の組み合わせが選択された場合にも同様にして、マッサージ工程を含めた全体トリートメントが構成される。
【００８７】
以上のように、箱状寝台本体を有し、箱状寝台本体の上面に被施術者が仰臥するテーブル部が設けられ、箱状寝台本体内部の空間部にスチーム発生手段及びハーブを収納するハーブ収納手段が設けられて、発生したスチームがハーブ収納手段に収納されたハーブに接触されることでハーブスチームが生成され、仰臥する被施術者を包み込む保温性被覆部としてのシートがテーブル部に対する組みとしてセットされ、仰臥する被施術者に全身温蒸させ発汗させることに供される蒸風呂形態の寝台であって、
被施術者から取得された時系列希望情報に対応して複数の異なるハーブの組み合わせを含んで時系列的に形成された複数のハーブスチームが仰臥する被施術者を全身温蒸して発汗させ蒸風呂形態の寝台が構成される。
【００８８】
当該寝台は、
少なくとも効能・効果の属性の異なるハーブを用いたトリートメント用ハーブスチームが形成され、
当該ハーブスチームが時系列に組み合わされて、時系列に寝台テーブル部に仰臥する被施術者を全身温蒸して発汗させることを特徴とする。
【００８９】
この場合に、属性の異なる３つ以上のトリートメント用ハーブスチームからなり、３つ以上のトリートメント用ハーブスチームが
対応１：心身ともにリラックスするトリートメント用ハーブから選択されたハーブ又は組み合わされたハーブを含んだトリートメント用ハーブスチーム
対応２：むくみや筋肉の疲労をメンテナンスするトリートメント用ハーブから選択されたハーブ又は組み合わされたハーブを含んだトリートメント用ハーブスチーム
対応３：:活力と集中力、エネルギーが湧くトリートメント用ハーブから選択されたハーブ又は組み合わされたハーブを含んだトリートメント用ハーブスチーム
からなる。
【００９０】
被施術者に対する発汗トリートメントに先立って、被施術者から少なくとも次の希望情報の内の複数の希望情報が時系列希望情報として取得され、
その１：リラックスするトリートメント施術（ハーブの香りを楽しむことはここに含まれるが、別の分類とすることができる。）の施術希望
その２：身体メンテナンスするトリートメントの施術希望
その３：エネルギーを充填するトリートメントの施術希望
または、
その１：リラックスするトリートメントの施術希望
その２：身体メンテナンスするトリートメントの施術希望
その３：エネルギーを充填するトリートメントの施術希望
その４：その１からその３のいくつかを混在、組み合わせた総合的なトリートメントの施術希望
その１〜その４は、さらに細分される場合を含む。
【００９１】
常時、トリートメントを管理する管理者に、少なくとも次のハーブ組み合わせ情報が保持され、その１、その２、その３、その４に対応して対応１、対応２、対応３、対応４が構成される。
【００９２】
対応１：心身ともにリラックスするトリートメント用ハーブの選択、組み合わせ
対応２：むくみや筋肉の疲労をメンテナンスするトリートメント用ハーブの選択、組み合わせ
対応３:活力と集中力、エネルギーが湧くトリートメント用ハーブの選択、組み合わせ
または、
対応１：心身ともにリラックスするトリートメント用ハーブからハーブの選択、組み合わせ
対応２：むくみや筋肉の疲労をメンテナンスするトリートメント用ハーブからハーブの選択、組み合わせ
対応３:活力と集中力、エネルギーが湧くトリートメント用ハーブからハーブの選択、組み合わせ
対応４：対応１から対応３のいくつかを混在させ、組み合わせた総合的なトリートメント用ハーブの組み合わせ
被施術者から取得された時系列の複数の希望情報に対応して複数の異なるハーブの組み合せを含んで時系列に形成され、統合された複数のハーブスチームによって、特に編み目ごとに横方向に向いて形成された隙間から横方向に噴出されて仰臥する被施術者を全身温蒸しすることで被施術者の効率よく効果的な発汗がなされること
を特徴とする被施術者に対するトリートメントがなされる健康増進トリートメント方法が構成される。
【００９３】
図１５は、健康増進トリートメント装置をブロックで示す図である。
【００９４】
図１６は、健康増進トリートメント方法を、パソコンを用いて実行する仕方を示す図である。
【００９５】
図１５において、健康増進トリートメント装置１００は、入力手段１０１、演算処理手段１０２、出力手段１０３及びデータベース１０４からなる。
【００９６】
入力手段１０１には、
・施術者による被施術者との問診結果が入力される。
【００９７】
演算処理手段１０２は、
・ハーブスチームの組み合わせの取得
・時系列になる発汗順序案の作成
・時系列になる発汗順序の取得
・スケジュール案の作成
・スケジュールの取得
・スケジュールの図示の指示
を処理する。
【００９８】
出力手段は、
・スケジュール出力
を行う。
【００９９】
データベース１０３には、
・ハーブの種類と効果・効能
・ハーブスチームの組み合わせ
その１、その２及びその３、あるいはその１、その２、その３及びその４に対応する対応１、対応２、対応３、対応４
・被施術者の過去の実績データ
・ハーブスチーム組み合わせルール
・スケジュール作成ルール
が格納される。
【０１００】
図１６において、被施術者に対する問診あるいは/及び被施術者の過去の実績データ
の取得がなされる。（Ｓ１）
問診は、体調、仕事の関係、仕事の忙しさ、行事等の環境、トリートメント目的、過去の実績に対するコメントに加えて、トリートメント内容の希望、その順序が聞き取られることでなされる。聞き取られて状況は、コンピュータに入力される。
【０１０１】
データベースが、
各種のハーブ情報を格納し、
被施術者に対する発汗トリートメントに先立って、被施術者から少なくとも次の希望情報の内の複数の希望情報が取得され、取得された希望情報を時系列希望情報として格納し、
その１：リラックスするトリートメントの施術希望
その２：身体メンテナンスするトリートメントの施術希望
その３：エネルギーを充填するトリートメントの施術希望
または、
その１：リラックスするトリートメントの施術希望
その２：身体メンテナンスするトリートメントの施術希望
その３：エネルギーを充填するトリートメントの施術希望
その４：その１からその３のいくつかを混在させ、組み合わせた総合的なトリートメントの施術希望
及び
常時、トリートメントを管理する管理者によって少なくとも次のハーブスチームの組み合わせ情報が生成されて、ハーブスチームの組み合わせ情報として格納される。
【０１０２】
入力された被施術者に対する問診あるいは/及び被施術者の過去の実績データが取得され、被施術者のトリートメントの施術希望が取得される。（Ｓ２）
トリートメントの希望の取得からトリートメントの希望の決定のルール（図１２参照）からトリートメントの施術希望の決定がなされる。（Ｓ３）
トリートメントの希望の決定から、前半発汗トリートメント、マッサージトリートメント及び後半発汗トリートメントを含んだトリートメント全体の決定がなされる。（図１４（２）参照）（Ｓ４）
選択されたハーブスチームの組み合わせから、ハーブスチーム組み合わせルールに基づいてその１、その２及びその３、あるいはその１、その２、その３及びその４対応になる時系列になる発汗順序案が決定される。（Ｓ５）
その１、その２、その３及びその４は、対応１、対応２、対応３及び対応になり、次のように統合される。
【０１０３】
対応１：心身ともにリラックスさせるトリートメント用ハーブからハーブの選択、組み合わせとハーブスチームの生成
対応２：むくみや筋肉の疲労を取り除くメンテナンスするトリートメント用からハーブの選択、組み合わせとハーブスチームの生成
対応３:活力と集中力、エネルギーが湧くトリートメント用からハーブの選択、ハーブスチームの組み合わせとハーブンスチームの生成
または、
対応１：心身ともにリラックスするトリートメント用ハーブからハーブの選択、組み合わせとハーブスチームの生成
対応２：むくみや筋肉の疲労を取り除きメンテナンスするトリートメント用ハーブからハーブの選択、スチームの組み合わせとハーブスチームの生成
対応３:活力と集中力、エネルギーが湧くトリートメント用ハーブからハーブの選択、組み合わせとハーブスチームの生成
対応４：対応１から対応３のいくつかを混在させ、組み合わせた総合的なトリートメント用ハーブの組み合わせとスチームの生成
時系列になる発汗順序案が被施術者に図示によって提示される。（Ｓ６）
発汗順序案が被施術者によって承認されると、発汗順序が決定される。（Ｓ７）
演算処理手段が、被施術者から取得された時系列の複数の希望情報に対応して複数の異なるハーブの組み合せを含んで時系列に複数のハーブスチームを時系列に提供するハーブスチーム情報を選択し、選択されたハーブスチーム形成情報を、被施術者から取得された時系列の複数の希望情報に対応して、画面表示手段の画面に表示させ、
被施術者の承認情報が入力されると、前半の発汗工程、マッサージ工程及び後半の発汗工程の組み合わせになる例を１０例以上作成して、画面表示させ、被施術者が選択したその内の一つについて発汗トリートメント及びマッサージトリートメントからなるトリートメントスケジュールを作成して画面表示させる。
【０１０４】
発汗順序の承認、決定に基づき、またスケジュール作成ルールに基づいて、スケジュールの作成がなされる。（Ｓ８）
図１７は、スケジュール表の一例を示す。
【０１０５】
作成されたスケジュールに基づいて、発汗トリートメント及びマッサージトリートメントが実行され（Ｓ９），終了する。（Ｓ１０）
図１５及び図１６に示す事項は、ソフトウエアとして媒体に記録することで、健康増進トリートメント方法を実行しようとする美容室に対して提供することができる。媒体は次のように構成される。
【０１０６】
箱状寝台本体を有し、箱状寝台本体の上面に被施術者が仰臥するテーブル部が設けられ、箱状寝台本体内部の空間部にスチーム発生手段及びハーブを収納するハーブ収納手段が設けられて、発生したスチームがハーブ収納手段に収納されたハーブに接触されることでハーブスチームを生成し、仰臥する被施術者を包み込む保温性被覆部がテーブル部に対する組みとしてセットされ、仰臥する被施術者に全身温蒸させ発汗させることに供される蒸風呂形態に構成された寝台を有して、蒸風呂形態の寝台における発汗トリートメントを有する健康増進トリートメント方法を実行する健康増進トリートメント装置を備えたコンピュータにインストールされて、コンピュータに次の事項を実行させる媒体を形成できる。
【０１０７】
データベースに、各種のハーブ情報を格納させる。
【０１０８】
被施術者に対する発汗トリートメントに先立って、被施術者から少なくとも次の希望情報の内の複数の希望情報が取得され、取得された希望情報が時系列希望情報として格納させる。
【０１０９】
その１：リラックスするトリートメントを施術希望
その２：身体メンテナンスするトリートメントの施術希望
その３：エネルギーを充填するトリートメントの施術希望
または、
その１：リラックスするトリートメントの施術希望
を希望
その２：身体メンテナンスするトリートメントの施術希望
その３：エネルギーを充填するトリートメントの施術希望
その４：その１からその３のいくつかを混在させ、組み合わせた総合的なトリートメントを施術希望
常時、トリートメントを管理する管理者によって少なくとも次のハーブスチームの組み合わせ情報が生成されたときに、ハーブスチームの組み合わせ情報として格納する。
【０１１０】
対応１：心身ともにリラックスするトリートメント用ハーブの選択、組み合わせから形成されたハーブスチーム
対応２：むくみや筋肉の疲労をメンテナンスするトリートメント用ハーブの選択、組み合わせから形成されたハーブスチーム
対応３:  活力と集中力、エネルギーが湧くトリートメント用ハーブの選択、組み合わせから形成されたハーブスチーム
または、
対応１：心身ともにリラックスするトリートメント用ハーブの選択、組み合わせから形成されたハーブスチーム
対応２：むくみや筋肉の疲労をメンテナンスするトリートメント用ハーブの選択、組み合わせから形成されたハーブスチーム
対応３:  活力と集中力、エネルギーが湧くトリートメント用ハーブの選択、組み合わせから形成されたハーブスチーム
対応４：対応１から対応３のいくつかを混在させた総合的なトリートメント用ハーブの選択、組み合わせから形成されたハーブスチーム
演算処理手段に、被施術者から取得された時系列の複数の希望情報に対応して複数の異なるハーブの組み合せを含んで時系列に複数のハーブスチームを時系列に提供するハーブスチーム情報を選択させ、選択されたハーブスチーム形成情報を、被施術者から取得された時系列の複数の希望情報に対応して、画面表示手段の画面に表示させる。
【０１１１】
演算処理手段に、被施術者の承認情報が入力されると、前半の発汗工程、マッサージ工程及び後半の発汗工程の組み合わせになる例を複数個、例えば１０例以上作成させて、画面表示させ、被施術者が選択したその内の一つについて発汗トリートメント及びマッサージトリートメントからなるトリートメントスケジュールを作成、統合して画面表示させる。
【０１１２】
このようにして、被施術者に対する蒸風呂形態の寝台を用いた健康増進トリートメント方法を実行する健康増進トリートメント装置を備えたコンピュータにインストールされて、コンピュータに次の事項を実行させる媒体が形成される。
【０１１３】
以上にように、本実施例によれば、ハーブの持つ効果・効能によってハーブを分類し、被施術者の健康・体調及び周囲の環境に対応して分類されたハーブのいくつかを選択して組み合わせ、統合化することを可能にして、被施術者の健康・体調及び周囲の環境に対応されて、ハーブの持つ効果・効能が充分に発揮されるようにした統合された健康トリートメントが可能になる。
【０１１４】
蒸風呂形態の寝台が、被施術者から取得された時系列希望情報に対応して複数の異なるハーブの組み合わせを含んで時系列的に形成された複数のハーブスチームが仰臥する被施術者を全身温蒸して発汗させるように構成される。
【符号の説明】
【０１１５】
１…箱状寝台、２…寝台本体、３…寝台テーブル部、４…空間部、５…スチーム発生器（スチーマー）、６…ハーブ収納容器、７、８…細長の帯材、９…編み目ごとに横方向に向いた隙間、１３…保温性シート、１５…ハーブスチーム、２０…被施術者、２１…機能別ハーブスチーム、２２…総合的ハーブスチーム、２３…心身ともにリッラクスさせるトリートメント用ハーブ（リッラクスさせるトリートメント用ハーブ）、２４…むくみや筋肉の疲労を回復、メンテナンスさせるトリートメントハーブ（身体メンテナンスさせるトリートメント用ハーブ）、２５…活力と集中力、エネルギーを湧きさせるトリ―トメントハーブ（エネルギーを充填させるトリートメント用ハーブ）、２６…総合的なトリートメント用ハーブ、２７ハーブから選択された１つのハーブあるいは選択された複数のハーブの組み合わせ（その１）、２８…ハーブから選択された１つのハーブあるいは選択された複数のハーブの組み合わせ（その２）、２９…ハーブから選択された１つのハーブあるいは選択された複数のハーブの組み合わせ（その３）、３４…総合的なトリートメント用ハーブの組み合わせ（その４）、３５…対応、４０…被施術者の施術希望、４１…リラックスするトリートメントを施術希望、４２…身体メンテナンスするトリートメントを施術希望、４３エネルギーを充填するトリートメントを施術希望、４４…総合的なトリートメントの施術希望、５１…総合的なトリートメントの施術希望、５２…むくみや筋肉の疲労をトリートメント用ハーブスチームの選択、５３…活力と集中力、エネルギーが湧くトリートメント用ハーブスチームの選択、５４…総合的なトリートメント用ハーブスチームの選択、５５…施術者の対応、１００…健康増進トリートメント装置。
【図１】
2019051004.tif 000003
【図２】
2019051004.tif 000004
【図３】
2019051004.tif 000005
【図４】
2019051004.tif 000006
【図５】
2019051004.tif 000007
【図６】
2019051004.tif 000008
【図７】
2019051004.tif 000009
【図８】
2019051004.tif 000010
【図９】
2019051004.tif 000011
【図１０】
2019051004.tif 000012
【図１１】
2019051004.tif 000013
【図１２】
2019051004.tif 000014
【図１３】
2019051004.tif 000015
【図１４】
2019051004.tif 000016
【図１５】
2019051004.tif 000017
【図１６】
2019051004.tif 000018
【図１７】
2019051004.tif 000019